(57)【特許請求の範囲】
【請求項１】
洗浄機本体の開口部に昇降により開閉する開閉扉を設け、この開閉扉が、上記開口部の略下半部を覆い前方へ傾動して開閉される傾動扉と、この傾動扉の開閉に連動して上下に昇降し、上記開口部の略上半部を覆う昇降扉とを有し、
上記洗浄機本体の開口部の上辺部に受け部材を固定し、上記昇降扉の上部内面にこの昇降扉が上記傾動扉の開閉に連動して降下して全閉したとき、上記受け部材に当接する当接部材を固定し、この当接部材及び上記受け部材が洗浄水を開口部の両側縁部に案内可能に上記洗浄機本体の中央部で高く、両側で低くなる山形傾斜部を有したことを特徴とする器具洗浄機。
【発明の詳細な説明】
【０００１】
【発明の属する技術分野】
本発明は、昇降して開閉される開閉扉を備えた器具洗浄機に関する。
【０００２】
【従来の技術】
一般に、洗浄機本体内に洗浄ノズルとすすぎノズルとを備え、これらノズルを通じて洗浄水、すすぎ水を供給して、洗浄機本体内に投入したトレイ等の比較的大型の器具を洗浄する構成を備えた器具洗浄機が知られている。
【０００３】
この種のものでは、洗浄対象が比較的大型で、洗浄機本体の開口部の高さが高くなるため、そこに設けられる開閉扉が、開口部の下半部を覆い前方へ傾動して開閉される傾動扉と、この傾動扉の開閉に連動して昇降し、開口部の上半部を覆う昇降扉とで構成されたものが提案されている。
【０００４】
開閉扉を一枚の傾動扉だけで構成した場合、扉の開放時における前方への突出量が大きくなりすぎるし、一枚の昇降扉だけで構成した場合、扉の開放時における上方への突出量が大きくなりすぎるからである。
【０００５】
ところで、上記開口部に昇降扉を備えた場合、この昇降扉の全閉位置を保持するためのストッパ構造が必要になる。
【０００６】
従来のストッパ構造は、上記洗浄機本体の開口部の上辺部に受け部材を固定し、上記昇降扉の上部内面にこの昇降扉が全閉したとき、上記受け部材に当接する当接部材を固定して構成される。
【０００７】
【発明が解決しようとする課題】
しかしながら、従来のストッパ構造では、上記受け部材及び当接部材が水平配置の構造であったため、洗浄運転中に洗浄水が上記受け部材の上面部に溜まり易く、器具の洗浄後、傾動扉を開き、これに連動して昇降扉を上昇させた場合、受け部材の上面部に溜まった洗浄水（洗剤）が後垂れで下方に滴下し、その洗浄水が、開口部から取り出す洗浄済みのトレイ等の器具類にかかって、洗浄仕上がりが悪くなるという問題があった。
【０００８】
そこで、本発明の目的は、上述した従来の技術が有する課題を解消し、洗浄後の洗浄水の後垂れを防止できる器具洗浄機を提供することにある。
【０００９】
【課題を解決するための手段】
請求項１記載の発明は、洗浄機本体の開口部に昇降により開閉する開閉扉を設け、この開閉扉が、上記開口部の略下半部を覆い前方へ傾動して開閉される傾動扉と、この傾動扉の開閉に連動して上下に昇降し、上記開口部の略上半部を覆う昇降扉とを有し、上記洗浄機本体の開口部の上辺部に受け部材を固定し、上記昇降扉の上部内面にこの昇降扉が上記傾動扉の開閉に連動して降下して全閉したとき、上記受け部材に当接する当接部材を固定し、この当接部材及び上記受け部材が洗浄水を開口部の両側縁部に案内可能に上記洗浄機本体の中央部で高く、両側で低くなる山形傾斜部を有したことを特徴とする。
【００１３】
本発明では、洗浄運転中に、上方に飛散した洗浄水が、受け部材と当接部材の間に浸入したとしても、これらの間に浸入した洗浄水は、各部材の傾斜部の傾斜に沿って、開口部の側縁部にすべて流れ出し、その側縁部を伝わって、洗浄室の下部に設けられた洗浄水受け部等に流出する。従って、洗浄運転中に洗浄水が受け部材の上面部に溜まるといった問題が解消され、そのため、器具の洗浄後、昇降する扉を上昇させた場合、受け部材の上面部に溜まった洗浄水が後垂れで下方に滴下するといった不都合が解消され、その洗浄水が、開口部から取り出す洗浄済みのトレイ等の器具類にかかるといった不都合が解消されるため、仕上がりに優れた洗浄が可能になる。
【００１４】
【発明の実施の形態】
以下、本発明の一実施形態を図面に基づいて説明する。
【００１５】
図１において、１は器具洗浄機を示す。この器具洗浄機１は４本の支柱２を基準に枠組みされており、上部には箱形の洗浄機本体３を備え、下部には機械室５を備えて構成されている。この機械室５には支柱２に固定された側板５Ａと底板５Ｂが設けられ、この底板５Ｂ上には、後述の洗浄ノズルに洗浄水を供給する洗浄ポンプ６と、すすぎノズルにすすぎ水を供給するすすぎポンプ７とが設置されている。８は洗浄水の保温ヒータである。
【００１６】
洗浄機本体３内には洗浄室１０が形成されており、この洗浄室１０の下部には下部洗浄ノズル１１及び下部すすぎノズル１２が配置され、洗浄室１０の上部にはこれらノズル１１，１２に対向して、上部洗浄ノズル１３及び上部すすぎノズル１４が配置されている。
【００１７】
この器具洗浄機１では、図示は省略したが、トレイ等の比較的大型の器具を洗浄対象とするため、洗浄機本体３の前面に形成された開口部１５の高さは高く設定されている。従って、そこに設けられる開閉扉２０は、開口部１５の略下半部を覆い、洗浄機本体３の前方へ手動により傾動して開閉される傾動扉１７と、この傾動扉１７にリンク機構１９を介して連結され、傾動扉１７の開閉に連動して昇降し、開口部１５の略上半部を覆う昇降扉２１とで構成されている。
【００１８】
図２は開閉扉２０を閉じた状態を示し、図３は開閉扉２０を開けた状態を示している。図２では傾動扉１７と昇降扉２１とによって開口部１５が全閉されている。傾動扉１７の取っ手１７Ａに手を掛けて、それを手前に引くと、図３に示すように、傾動扉１７が前方に傾動し、これに連動して昇降扉２１が上方に上昇し、開口部１５が全開される。
【００１９】
ところで、開口部１５に昇降扉２１を備えた場合、この昇降扉２１の全閉位置を保持するためのストッパ構造が必要になる。
【００２０】
このストッパ構造は、図４に示すように、洗浄機本体３の開口部１５の上辺部２３に受け部材２５を固定し、昇降扉２１の上部内面にこの昇降扉２１が全閉したとき、受け部材２５に当接する当接部材２７を固定して構成される。図５は、図４のＶ−Ｖ断面図である。洗浄機本体３の開口部１５の上辺部２３は、図５に示すように、洗浄機本体３の天板３１を構成する板金を下方に折り曲げて形成され、その外面に、同じく板金を折り曲げて形成した上記受け部材２５が例えばスポット溶接されている。この受け部材２５は、図４に示すように、洗浄機本体３の開口部１５の中央部で高く、両側が同じ傾斜で徐々に低くなる山形傾斜部２５Ａ，２５Ａを備えて構成される。
【００２１】
上記昇降扉２１の上部は、図５に示すように、板金をボックス状に折り曲げて構成され、このボックス部３２の下面には樹脂製の緩衝材３３が固定され、この緩衝材３３が、この昇降扉２１が全閉したとき、受け部材２５に当接する当接部材２７を構成している。この当接部材２７の下面は、図４に示すように、洗浄機本体３の開口部１５の中央部で高く、両側が同じ傾斜で徐々に低くなる山形傾斜部２７Ａ，２７Ａを備え、この山形傾斜部２７Ａ，２７Ａと上記山形傾斜部２５Ａ，２５Ａとの傾斜角は略等しく形成され、昇降扉２１の全閉時には、図６及び図７に示すように、山形傾斜部２７Ａ，２７Ａと山形傾斜部２５Ａ，２５Ａとが密に接する構造を備えて構成される。
【００２２】
この器具洗浄機１では、開閉扉２０を手動で開放し、例えばラックに保持したトレイ等の比較的大型の洗浄対象を、その開口部１５から洗浄室１０に投入し、開閉扉２０を閉じた後、運転スイッチを投入すると、下部洗浄ノズル１１及び下部すすぎノズル１２、上部洗浄ノズル１３及び上部すすぎノズル１４を用いた一連の洗浄工程に従う洗浄運転が実行される。
【００２３】
この洗浄運転中には、図７に示すように、昇降扉２１の内面を伝わって、上方に洗浄水が飛散し、この洗浄水が、受け部材２５と当接部材２７の間に浸入し、例えばその奥の空間４１にまで到達する。
【００２４】
本実施形態では、受け部材２５と当接部材２７の間に浸入した洗浄水は、各部材の山形傾斜部２５Ａ，２５Ａ及び山形傾斜部２７Ａ，２７Ａの傾斜に沿って、開口部１５の両側縁１５Ａ（図６）にすべて流れ出し、その両側縁１５Ａを伝わって、洗浄室１０の下部に設けられた洗浄水受け部に流出する。従って、洗浄運転中に洗浄水が受け部材２５の上面部に溜まるといった問題が解消される。
【００２５】
そのため、器具の洗浄後、傾動扉１７を開き、これに連動して昇降扉２１を上昇させた場合、受け部材２５の上面部に溜まった洗浄水（洗剤）が後垂れで下方に滴下するといった不都合が解消されると共に、その洗浄水が、開口部１５から取り出す洗浄済みのトレイ等の器具類にかかるといった不都合が解消されるため、仕上がりに優れた洗浄が可能になる。
【００２６】
以上、一実施形態に基づいて本発明を説明したが、本発明はこれに限定されるものではないことは明らかである。
【００２７】
例えば、受け部材２５及び当接部材２７に、山形傾斜部２５Ａ，２５Ａ及び２７Ａ，２７Ａを形成したが、これに限定されず、この傾斜部が、洗浄機本体３の一側で高く、他側で低くなるような片流れ傾斜部であってもよいことは明らかである。また、開閉扉２０は傾動扉１７と昇降扉２１との組み合わせ扉で説明したが、これに限定されず、開閉扉２０が一枚の昇降扉で構成されていても、本発明が適用されることは言うまでもない。
【００２８】
【発明の効果】
本発明では、洗浄運転中に、上方に飛散した洗浄水が、受け部材と当接部材の間に浸入したとしても、これらの間に浸入した洗浄水は、各部材の傾斜部の傾斜に沿って、開口部の側縁部にすべて流れ出し、その側縁部を伝わって、洗浄室の下部に設けられた洗浄水受け部等に流出する。従って、洗浄運転中に洗浄水が受け部材の上面部に溜まるといった問題が解消され、そのため、器具の洗浄後、昇降する扉を上昇させた場合、受け部材の上面部に溜まった洗浄水が後垂れで下方に滴下するといった不都合が解消され、その洗浄水が、開口部から取り出す洗浄済みのトレイ等の器具類にかかるといった不都合が解消されるため、仕上がりに優れた洗浄が可能になる。
【図面の簡単な説明】
【図１】本発明による器具洗浄機の一実施形態を示す斜視図である。
【図２】開閉扉を全閉した時の正面図である。
【図３】開閉扉を全開した時の正面図である。
【図４】開閉扉を開けた時の洗浄機本体の上部構造を示す正面図である。
【図５】図４のＶ−Ｖ断面図である。
【図６】開閉扉を閉じた時の洗浄機本体の上部構造を示す正面図である。
【図７】図６のVII−VII断面図である。
【符号の説明】
１  器具洗浄機
３  洗浄機本体
１５  開口部
１７  傾動扉
２０  開閉扉
２１  昇降扉
２３  上辺部
２５  受け部材
２７  当接部材
２５Ａ，２５Ａ  山形傾斜部
２７Ａ，２７Ａ  山形傾斜部
【図１】
0004605922.tif 000002
【図２】
0004605922.tif 000003
【図３】
0004605922.tif 000004
【図４】
0004605922.tif 000005
【図５】
0004605922.tif 000006
【図６】
0004605922.tif 000007
【図７】
0004605922.tif 000008